(57)【要約】【課題】サスペンド（リジューム）機能を備えた電気電子機器の初期化が簡単に行え、かつ、バックアップ用電源の長期放電を防止した電気電子機器の初期化装置を提供する。【解決手段】バックアップ用電源８の出力にてバックアップされる揮発性メモリ３と共働すると共にサスペンド（リジューム）機能を有し、かつ動作用電源１の出力を受けて動作する制御マイクロコンピュータ４を備え該マイクロコンピュータ４にて制御される電気電子機器の初期化装置であって、電源１の出力電圧が遮断されたときから該出力電圧がマイクロコンピュータ４を動作させうる最低電圧に達するまでの間に、電源８の出力をオン／オフさせるスイッチ回路７をオフ状態にマイクロコンピュータ４からの出力で制御し、動作用電源１の出力電圧がマイクロコンピュータ４を動作させうる最低電圧以下に達したとき、マイクロコンピュータ４をリセットさせて電気電子機器を初期化させるようにした。【選択図】        図１
2005092674.tif 000002
【特許請求の範囲】
【請求項１】
バックアップ用電源からの出力によってバックアップされる揮発性メモリと、揮発性メモリと共働すると共にサスペンド（リジューム）機能を有し、かつ動作用電源からの出力を受けて動作する制御マイクロコンピュータと、を備え制御マイクロコンピュータによって制御される電気電子機器の初期化装置であって、
制御マイクロコンピュータからの制御信号に基づいてバックアップ用電源の出力をオン／オフ制御するスイッチ回路と、
動作用電源の出力電圧が電気的に遮断されたときから該出力電圧が制御マイクロコンピュータを動作させうる最低電圧に達するまでの間に、スイッチ回路をオフ状態にする制御信号を制御マイクロコンピュータから出力させ、動作用電源の出力電圧が制御マイクロコンピュータを動作させうる最低電圧以下に達したとき、制御マイクロコンピュータをリセットさせて電気電子機器を初期化させる初期化手段と、
を備えたことを特徴とする電気電子機器の初期化装置。
【発明の詳細な説明】
【技術分野】
【０００１】
本発明はサスペンド（リジューム）機能を備えた電気電子機器の初期化装置に関する。
【背景技術】
【０００２】
第１のＩＣ及び第２のＩＣにバックアップの対象となるＲＡＭを備え、第１のＩＣは電源に接続されたバックアップ電圧源からバックアップ電圧が供給され、第１のＩＣに対するバックアップの有無に応じた処理を第２のＩＣにて行う電子回路において、電源とバックアップ電圧源との間に第１のスイッチを設けて、第１のＩＣのバックアップ電圧Ｖｄを第２のＩＣによって検出し、検出バックアップ電圧Ｖｄと予め定められたバックアップ可能な基準電圧Ｖｒとを比較し、Ｖｄ＜Ｖｒのとき第１のＩＣをリセットし、Ｖｄ＞Ｖｒのとき第１のＩＣのリセット信号を出さないで、第１のＩＣのバックアップの有無に応じた処理を行うようにした、電子回路のリセット装置が知られている（例えば特許文献１参照）。
【特許文献１】特開平１０−１３３７８７号公報
【０００３】
一方。携帯端末や携帯マイクロコンピュータなどの電気電子機器では、電気電子機器の動作用電源として、一次電池や二次電池が使用される。一次電池、または二次電池のいずれを使用しても、長時間使用すれば電池容量は減少し、これらの電気電子機器は動作不可能となる。またこれらの動作用電源は着脱自由方式のものであり、故意あるいは偶然に動作用電源がはずれ場合があり、故意あるいは偶然に動作用電源がはずれた場合は、これら電気電子機器は動作不可能となる。
【０００４】
また、動作用電源とは別に、バックアップ用電源を設け、バックアップ用電源により電気電子機器を動作させることは不可能であるが、揮発性メモリ等に記憶させたデータをバックアップ用電源によって保存し、次回動作用電源の電源容量（以下、単に容量とも記す）復帰時、あるいは動作用電源装着時に、保存したデータを使用する電気電子機器も増えてきている。
【０００５】
また、バックアップ用電源を設けた電気電子機器の中には、所謂「サスペンド（リジューム）機能」を備えたものも少なくない。サスペンド（リジューム）機能とは電源を電気的に切断した場合、あるいは電源が故意、または偶然にはずれた場合、電源切断直前の状態を保存して、次に電源を入れたときに電源切断直前の状態から作業を再開させる機能である。
【０００６】
電気電子機器において、サスペンド（リジューム）機能を実現するための初期化装置２０の回路構成の一例は図２に示すごとくである。図２に示す初期化装置２０では、一次電池または二次電池からなる動作用電池１の出力を定電圧電源回路２に供給して定電圧化し、定電圧電源回路２からの出力される定電圧出力を揮発性メモリ３および揮発性メモリ３と共働して電気電子機器を制御する制御マイクロコンピュータ（以下、単に制御マイクロコンピュータとも記す）４に動作用電源として、それぞれ揮発性メモリ３および制御マイクロコンピュータ４に各別に供給する。
【０００７】
また、バックアップ用電源８は不揮発性メモリ３のバックアップをするための電源であり、一次電池、または二次電池が使用される。図２においては、制御マイクロコンピュータ４もバックアップ用電源８から電力供給される初期化装置の場合を示しているが、制御マイクロコンピュータ４は不揮発性メモリ３の電源系統と別系統であっても差し支えない。図２では、バックアップ用電源８は、定電圧電源回路２を介して動作用電源１から充電される二次電池の場合で示してある。
【０００８】
また、動作用電源１の出力電圧は低電圧検出回路６にも供給されていて、低電圧検出回路６において動作用電源１の出力電圧が、サスペンド（リジューム）状態に突入させるための予め定めた電圧値以下に低下したことを検出して、低電圧検出回路６から低電圧検出信号を制御マイクロコンピュータ４へ出力する。
【０００９】
さらにまた、定電圧電源回路２の出力電圧はリセット信号生成回路５にも供給してあって、制御マイクロコンピュータ４が動作しうる最低電圧以下に定電圧電源回路２の出力電圧が低下した場合、制御マイクロコンピュータ４のハードウエアリセット端子にリセット信号を供給して制御マイクロコンピュータ４にリセットをかけて、制御マイクロコンピュータ４の暴走を防止している。
【００１０】
上記のように構成されたサスペンド（リジューム）機能を備えた電気電子機器における制御マイクロコンピュータ４の作用を、サスペンド（リジューム）状態へ突入の場合を図３（ａ）のフローチャートに基づいて説明し、サスペンド（リジューム）状態から復帰の場合を図３（ｂ）のフローチャートに基づいて説明する。
【００１１】
サスペンド（リジューム）状態へ突入の場合を説明する。通常動作中に低電圧検出信号が低電圧検出回路６から出力されない場合は、通常動作が継続される（ステップＳ１およびＳ２）。通常動作中に低電圧検出信号が低電圧検出回路６から出力された場合は（ステップＳ２）、揮発性メモリ３上における作業を停止し、不揮発性メモリ３のメモリデータの保存のために、揮発性メモリ３へのアクセスを禁止する（ステップＳ３）。
【００１２】
ステップＳ３に続いて、制御マイクロコンピュータ４での作業を停止し、制御マイクロコンピュータ４の内部レジスタ、カウンタのデータを保存し、制御マイクロコンピュータ４の動作を停止し（ステップＳ４）、サスペンド（リジューム）状態に入る（ステップＳ５）。
【００１３】
サスペンド（リジューム）状態へ復帰の場合を説明する。サスペンド（リジューム）状態中に低電圧検出回路６から出力されている低電圧検出信号が消滅しない場合は、サスペンド（リジューム）状態が継続される（ステップＳ１１およびＳ１２）。サスペンド（リジューム）状態中に低電圧検出回路６から出力されていた低電圧検出信号が消滅した場合は（ステップＳ１２）、制御マイクロコンピュータ４の内部レジスタ、カウンタのデータ保存状態から制御マイクロコンピュータ４の作業を開始する（ステップＳ１３）。
【００１４】
ステップＳ１３に続いて、揮発性メモリ３へのアクセスを開始し、サスペンド（リジューム）状態前の作業を再開し（ステップＳ１４）、サスペンド（リジューム）状態突入前の通常動作に戻る（ステップＳ１５）。
【００１５】
しかし一般的に、サスペンド（リジューム）機能を備えた電気電子機器を工場で生産する場合、組み立て後に各種の動作チェックを行い、その後に電気電子機器のシステム全体の初期化が必要である。初期化が必要となる理由は、システムの初期化を行わないで出荷した場合、ユーザが操作をする場面でサスペンド（リジューム）機能により、工場で行われたチェック動作後の状態が再現されてしまうことを避けるためである。また、工場へ返された電気電子機器の修理が終了しユーザへ返されるときにおいても同様の理由から、電気電子機器の初期化が必要である。
【００１６】
一方、制御マイクロコンピュータ４は一般的にハードウエアリセット端子を備えており、動作範囲外の電圧下での誤動作防止や、電気電子機器のシステム全体を初期化したい場合に、ハードウエアリセット端子が使用される。ハードウエアリセット端子にリセット信号を与えて初期化する場合、制御マイクロコンピュータ４内のレジスタのデータ、カウンタのデータは初期化され、揮発性メモリ３に格納されているデータも制御マイクロコンピュータ４のソフトウエアによって完全に初期化されて、結果的に電気電子機器のシステム全体の初期化を実現させている。そのためシステム全体を初期化させるためには、制御マイクロコンピュータ４のハードウエアリセット端子を使用することが好都合である。
【発明の開示】
【発明が解決しようとする課題】
【００１７】
しかしながら、サスペンド（リジューム）機能を備えた電気電子機器においては、上記したように、サスペンド（リジューム）機能復帰時に備えるために、動作用電源１が故意にまたは偶発的にはずれた場合、または動作用電源１の容量が低下した場合に、揮発性メモリ３のデータの保存、制御マイクロコンピュータ４の内部レジスタ、カウンタのデータを保存する必要があるために、ハードウエアリセット端子を使用することはできないという問題点があった。
【００１８】
このため、サスペンド（リジューム）機能を備えた電気電子機器においてシステム全体を初期化したい場合に、ハードウエアリセット端子を使用することができないという問題点があった。
【００１９】
この問題点を避けるために、電気電子機器の外部に制御マイクロコンピュータ４のハードウエアリセット端子と接続されたリセットスイッチを設け、システム全体を初期化したい場合に、外部に設けたリセットスイッチを操作するように構成する場合もあるが、ユーザの誤操作や、電気電子機器の落下、振動等によりリセットスイッチの不慮の押圧を考えると、好適な方法とはいえない。
【００２０】
また、ユーザの誤操作を避けるために電気電子機器の初期化時に、リセットスイッチを多重押し（スイッチＡとスイッチＢを同時に押す）させる方法や、リセットスイッチを長時間押すことが提案されているが、工場出荷時や電気電子機器修理時の初期化作業の煩雑化となるため、好ましい方法ではないという問題点があった。
【００２１】
そのほかに、バックアップ用電源８が不揮発性メモリ３に接続されたままで、バックアップ用電源８から不揮発性メモリ３にバックアップのために電力を供給し続けると、バックアップ用電源８として一次電池を使用した場合、ユーザが使用しようとしたときに、バックアップ用電源８の放電が進みバックアップ用電源の容量が残っていない場合が生ずるという問題点がある。また、バックアップ用電源８に二次電池を使用した場合でも、放電状態が長期間継続していると、二次電池の充放電サイクル寿命が悪化するという問題点が生ずる。
【００２２】
本発明は、サスペンド（リジューム）機能を備えた電気電子機器において初期化が簡単に行え、かつ、バックアップ用電源の長期放電を防止した電気電子機器の初期化装置を提供することを目的とする。
【課題を解決するための手段】
【００２３】
本発明にかかる請求項１記載の電気電子機器の初期化装置は、バックアップ用電源からの出力によってバックアップされる揮発性メモリと、揮発性メモリと共働すると共にサスペンド（リジューム）機能を有し、かつ動作用電源からの出力を受けて動作する制御マイクロコンピュータと、を備え制御マイクロコンピュータによって制御される電気電子機器の初期化装置であって、
制御マイクロコンピュータからの制御信号に基づいてバックアップ用電源の出力をオン／オフ制御するスイッチ回路と、
動作用電源の出力電圧が電気的に遮断されたときから該出力電圧が制御マイクロコンピュータを動作させうる最低電圧に達するまでの間に、スイッチ回路をオフ状態にする制御信号を制御マイクロコンピュータから出力させ、動作用電源の出力電圧が制御マイクロコンピュータを動作させうる最低電圧以下に達したとき、制御マイクロコンピュータをリセットさせて電気電子機器を初期化させる初期化手段と、
を備えたことを特徴とする。
【発明の効果】
【００２４】
本発明の請求項１記載の電気電子機器の初期化装置によれば、動作用電源の出力電圧が電気的に遮断されたときから該出力電圧が制御マイクロコンピュータを動作させうる最低電圧に達するまでの間に、スイッチ回路をオフ状態にする制御信号が制御マイクロコンピュータから出力されて、スイッチ回路がオフ状態に制御され、動作用電源の出力電圧が制御マイクロコンピュータを動作させうる最低電圧以下に達したとき、制御マイクロコンピュータがリセットさせて電気電子機器が初期化させられ、初期化が簡単に行える。そのうえ、初期化時から次に動作用電源が電気的に接続されるまでの期間、バックアップ電源による揮発性メモリのバックアップは行われず、この間におけるバックアップ電源の放電は行われないために、バックアップ電源が二次電池の場合に充放電寿命の悪化はない。さらに、電気電子機器のサスペンド（リジューム）機能に影響を与えることはない。
【発明を実施するための最良の形態】
【００２５】
以下、本発明にかかる電気電子機器の初期化装置を実施の形態によって説明する。
【００２６】
図１は本発明の実施の形態にかかる電気電子機器の初期化装置の構成を示すブロック図である。
【００２７】
本発明の実施の形態にかかる電気電子機器の初期化装置１０においては、図１に示すように、電気電子機器の初期化装置２０の構成要素と同一構成要素には同一の符号を付して示し、重複を避けるために同一構成要素の説明は省略する。
【００２８】
電気電子機器の初期化装置１０では、バックアップ用電源８の出力の揮発性メモリ３への電力供給ラインに、制御マイクロコンピュータ４から出力される制御信号に基づいてオン／オフ制御されるスイッチ回路７が設けてある。
【００２９】
動作用電源１が正常で、容量が低下していない場合においては、動作用電源１からの電力により制御マイクロコンピュータ４が正常に動作し、制御マイクロコンピュータ４からスイッチ回路７をオン状態に制御する制御信号が送出され、スイッチ回路７はオン状態に制御される。このときには、揮発性メモリ３はバックアップ用電源８からの電力によってもバックアップされており、バックアップ用電源８が二次電池からなるときは、バックアップ用電源８は動作用電源１の出力によって充電される。これらの作用は図２に示した場合と同様である。
【００３０】
この状態において、低電圧検出回路６から低電圧検出信号が出力されたときは図３（ａ）に示したようにサスペンド（リジューム）状態に入り、低電圧検出信号が消滅したときは図３（ｂ）に示したようにサスペンド（リジューム）状態から復帰する。
【００３１】
動作用電源１が故意にまたは偶発的にはずれた場合、または動作用電源１の容量が低下した場合、動作用電源１に基づく電圧が制御マイクロコンピュータ４を動作させうる最低電圧に達するまでの期間に、スイッチ回路７をオフ状態に制御する制御信号が制御マイクロコンピュータ４から出力され、スイッチ回路７はオフ状態に制御され、オフ状態に維持される。
【００３２】
引き続いて、動作用電源１に基づく電圧が制御マイクロコンピュータ４を動作させうる最低電圧以下に達したとき、リセット信号生成回路５からリセット信号が制御マイクロコンピュータ４のハードウエアリセット端子に供給されて、制御マイクロコンピュータ４内のレジスタのデータ、カウンタのデータは初期化され、揮発性メモリ３に格納されているデータも制御マイクロコンピュータ４のソフトウエアによって完全に初期化されて、結果的に電気電子機器全体のシステムの初期化が行われる。
【００３３】
そこで、電気電子機器の工場出荷時や電気電子機器修理時などの初期化が必要な場合には、動作用電源１からの出力を実質的に電気的に遮断することにより、上記したように、動作用電源１に基づく電圧が制御マイクロコンピュータ４を動作させうる最低電圧に達するまでの期間にスイッチ回路７はオフ状態に制御され、オフ状態に維持される。動作用電源１に基づく電圧が制御マイクロコンピュータ４を動作させうる最低電圧以下に達したとき、上記したように、リセット信号が生成されて、電気電子機器全体のシステムが初期化されることになる。
【００３４】
この状態で出荷することにより、出荷時からユーザが動作用電源１を電気的に接続するまでの期間におけるバックアップ用電源８の放電継続が防止され、バックアップ用電源８の容量低下が防止でき、バックアップ用電源８を二次電池としたとき充放電サイクル寿命の悪化を防止することができる。
【００３５】
動作用電源１が電気的に接続され、かつ動作用電源１が正常で、容量低下していない場合においては、動作用電源１からの電力により制御マイクロコンピュータ４が正常に動作し、制御マイクロコンピュータ４からスイッチ回路７をオン状態に制御する制御信号が送出され、スイッチ回路７はオン状態に制御されて、正常な動作状態になる。
【００３６】
以上説明したように、電気電子機器の初期化装置１０によればサスペンド（リジューム）機能を備えた電気電子機器の初期化を簡単に実現することができ、かつ初期化は制御マイクロコンピュータ４のハードウエアリセット端子を用いて行えるので、新たに初期化実現用のソフトウエアが不要である。また、初期化の前に制御マイクロコンピュータ４がスイッチ回路７をオフ状態に制御するため、バックアップ用電源の出力が遮断されて、バックアップ用電源の放電が継続することはなくバックアップ用電源８の容量減少を抑えることができ、バックアップ用電源８を二次電池で構成したとき充放電サイクル寿命の悪化を防ぐことができる。更に、独立したリセットスイッチを設けることも不要である。
【図面の簡単な説明】
【００３７】
【図１】本発明の実施の形態にかかる電気電子機器の初期化装置の構成を示すブロック図である。
【図２】従来の電気電子機器の初期化装置にかかる充電装置の構成を示すブロック図である。
【図３】従来の電気電子機器の初期化装置の作用の説明に供するフローチャートである。
【符号の説明】
【００３８】
１  動作用電源
２  定電圧電源回路
３  揮発性メモリ
４  制御マイクロコンピュータ
５  リセット信号生成回路
６  低電圧検出回路
７  スイッチ回路
８  バックアップ用電源
１０  電気電子機器の初期化装置
【図１】
2005092674.tif 000003
【図２】
2005092674.tif 000004
【図３】
2005092674.tif 000005